(57)【要約】【課題】  建築用部材のプレカットに際して、生産予定の各種建築用部材を様々なパターンで集計する集計装置を提供する。【解決手段】  この集計装置は、建築用部材の材長を優先させながら建築用部材を選び出して表形式で画面上に表示する外形寸法優先型集計、建築用部材の形状を優先させながら建築用部材を選び出して表形式で画面上に表示する形状優先型集計、建築用部材の加工形状を優先させながら建築用部材を選び出して表形式で画面上に表示する加工形状優先型集計、建築用部材の加工箇所を優先させながら建築用部材を選び出して表形式で画面上に表示する加工箇所優先型集計をコンピュータを用いて実現する。【選択図】  図４
2005200976.tif 000002
【特許請求の範囲】
【請求項１】
プログラムされたコンピュータによって建築用部材の集計を行う集計装置であって、集計対象となる複数の建築用部材の外形寸法情報及び形状情報を記憶する記憶手段と、前記の外形寸法情報に基づいて、建築用部材の外形寸法を優先させながら建築用部材を選び出してその各種情報を表形式で画面上に表示する寸法優先集計手段と、前記の形状情報に基づいて、建築用部材の形状を優先させながら建築用部材を選び出してその各種情報を表形式で画面上に表示する形状優先集計手段と、前記の形状情報に基づいて、建築用部材の加工形状を優先させながら建築用部材を選び出してその各種情報を表形式で画面上に表示する加工形状優先集計手段と、前記の形状情報に基づいて、建築用部材の加工箇所を優先させながら建築用部材を選び出してその各種情報を表形式で画面上に表示する加工箇所優先集計手段と、これら各集計手段による集計を選択的に切り替える集計切り替え手段とを備えたことを特徴とする建築用部材の集計装置。
【請求項２】
前記形状情報は、建築用部材における平面、底面、正面、背面、左右の側面の各辺の方向を示す辺コード情報と、同じく各辺のＸ軸方向及びＹ軸方向の移動量を示す度合いコード情報と、各面毎に辺コード及び度合いコードを集めて、これら辺コード及び度合いコードに基づいて得られた各面の面形状を示す面コード情報と、各面の面コードを集めて、これら面コードに基づいて得られた建築用部材の立体形状を示す立体コード情報を含む請求項１記載の建築用部材の集計装置。
【請求項３】
前記形状情報は、前記立体コード情報に対応づけて使用者が設定した加工コード情報を含む請求項２記載の建築用部材の集計装置。
【請求項４】
外周端部に切り欠き加工を施した帯板状の建築用部材の集計を対象とし、前記切り欠き加工は、建築用部材をその板厚方向に沿って貫通するとともに、その断面形状が板厚方向の全長に亘って同一形状とされている請求項１乃至３のいずれかに記載の建築用部材の集計装置。
【請求項５】
コンピュータによって建築用部材の集計を行わせるための集計用プログラムであって、前記コンピュータを、集計対象となる複数の建築用部材の外形寸法情報及び形状情報を記憶する記憶手段、前記の外形寸法情報に基づいて、建築用部材の外形寸法を優先させながら建築用部材を選び出してその各種情報を表形式で画面上に表示する寸法優先集計手段、前記の形状情報に基づいて、建築用部材の形状を優先させながら建築用部材を選び出してその各種情報を表形式で画面上に表示する形状優先集計手段、前記の形状情報に基づいて、建築用部材の加工形状を優先させながら建築用部材を選び出してその各種情報を表形式で画面上に表示する加工形状優先集計手段、前記の形状情報に基づいて、建築用部材の加工箇所を優先させながら建築用部材を選び出してその各種情報を表形式で画面上に表示する加工箇所優先集計手段、これら各集計手段による集計を選択的に切り替える集計切り替え手段として機能させるための集計用プログラム。
【請求項６】
前記形状情報は、建築用部材における平面、底面、正面、背面、左右の側面の各辺の方向を示す辺コード情報と、同じく各辺のＸ軸方向及びＹ軸方向の移動量を示す度合いコード情報と、各面毎に辺コード及び度合いコードを集めて、これら辺コード及び度合いコードに基づいて得られた各面の面形状を示す面コード情報と、各面の面コードを集めて、これら面コードに基づいて得られた建築用部材の立体形状を示す立体コード情報を含む請求項５記載の集計用プログラム。
【請求項７】
前記形状情報は、前記立体コードに対応づけて使用者が設定した加工コード情報を含む請求項６記載の集計用プログラム。
【請求項８】
外周端部に切り欠き加工を施した帯板状の建築用部材の集計を対象とし、前記切り欠き加工は、建築用部材をその板厚方向に沿って貫通するとともに、その断面形状が板厚方向の全長に亘って同一形状とされている請求項５乃至７のいずれかに記載の集計用プログラム。
【請求項９】
請求項５乃至８のいずれかに記載の集計用プログラムを記録したコンピュータ読み取り可能な記録媒体。
【発明の詳細な説明】
【技術分野】
【０００１】
この発明は、主として生産予定の建築用木部材を集計するための建築用部材の集計装置、集計用プログラム及び集計用プログラムを記録したコンピュータ読み取り可能な記録媒体に関する。
【背景技術】
【０００２】
住宅の建築現場における木部材の加工作業を軽減するため、工場でプレカットした木部材を建築現場へ搬入していることが多い。
【０００３】
プレカットに際しては、加工の種類によって異なる加工機が使用される。生産効率を上げるためには、同じ加工機を用いて行う同一形状又は類似形状の加工を集約すれば良い。例えば、同じ長さにカットする木部材を複数本集めて、これらをまとめて一度にカットすれば、生産性を向上することができる。このためには、生産予定の木部材の形状を特定して、生産予定の木部材を効果的に集計する必要がある。
【０００４】
従来においては、生産予定の木部材の製作図面や製作帳票を見ながら、手作業で生産予定の木部材を形状毎に集計していた。このような集計作業は、多大な時間と労力を要するが、加工時間の短縮と加工間違いの低減のためには必要であり、また生産計画を策定する上でも、集計により加工機の稼動を予測する必要がある。
【０００５】
特に、一棟一式で多品種少量生産される木部材については、事前に形状を予測するのは困難であり、住宅の設計後にその設計図面やＣＡＤデータ等に基づいて形状を特定する必要があって、集計作業がより一層煩雑になっていた。
【０００６】
そこで、近年では、コンピュータを使用して、設計図面やＣＡＤデータ等に基いて生産予定の木部材の形状を特定し、木部材の形状毎の集計作業を簡単に行うようにしていることが多い。例えば特許文献１には、生産予定の木部材の断面形状等の部材情報に基づいて、木部材を選び出して表形式にまとめるようにしている。
【０００７】
【特許文献１】特開２００２−１２１８１７
【発明の開示】
【発明が解決しようとする課題】
【０００８】
しかしながら、木部材の加工に際しては、生産現場によって加工機の性能が異なるといったような生産現場の事情によって様々な制限があって、生産性の向上の面からも各種制限に柔軟に対応できるような様々なパターンでの集計が望まれており、コンピュータによる集計においても未だ改良の余地が残っていた。
【０００９】
この発明は、上記の不具合を解消して、様々なパターンでの建築用部材の集計が可能な建築用部材の集計装置、集計用プログラム及び集計用プログラムを記録したコンピュータ読み取り可能な記録媒体の提供を目的とする。
【課題を解決するための手段】
【００１０】
上記の課題を解決するため、この発明の集計装置は、プログラムされたコンピュータによって建築用部材の集計を行うものであって、集計対象となる複数の建築用部材の外形寸法情報及び形状情報を記憶する記憶手段と、前記の外形寸法情報に基づいて、建築用部材の外形寸法を優先させながら建築用部材を選び出してその各種情報を表形式で画面上に表示する寸法優先集計手段と、前記の形状情報に基づいて、建築用部材の形状を優先させながら建築用部材を選び出してその各種情報を表形式で画面上に表示する形状優先集計手段と、前記の形状情報に基づいて、建築用部材の加工形状を優先させながら建築用部材を選び出してその各種情報を表形式で画面上に表示する加工形状優先集計手段と、前記の形状情報に基づいて、建築用部材の加工箇所を優先させながら建築用部材を選び出してその各種情報を表形式で画面上に表示する加工箇所優先集計手段と、これら各集計手段による集計を選択的に切り替える集計切り替え手段とを備えている。
【００１１】
この発明の集計用プログラムは、コンピュータによって建築用部材の集計を行わせるためのものであって、前記コンピュータを、集計対象となる複数の建築用部材の外形寸法情報及び形状情報を記憶する記憶手段、前記の外形寸法情報に基づいて、建築用部材の外形寸法を優先させながら建築用部材を選び出してその各種情報を表形式で画面上に表示する寸法優先集計手段、前記の形状情報に基づいて、建築用部材の形状を優先させながら建築用部材を選び出してその各種情報を表形式で画面上に表示する形状優先集計手段、前記の形状情報に基づいて、建築用部材の加工形状を優先させながら建築用部材を選び出してその各種情報を表形式で画面上に表示する加工形状優先集計手段、前記の形状情報に基づいて、建築用部材の加工箇所を優先させながら建築用部材を選び出してその各種情報を表形式で画面上に表示する加工箇所優先集計手段、これら各集計手段による集計を選択的に切り替える集計切り替え手段として機能させるようになっている。
【００１２】
また、前記形状情報は、建築用部材における平面、底面、正面、背面、左右の側面の各辺の方向を示す辺コード情報と、同じく各辺のＸ軸方向及びＹ軸方向の移動量を示す度合いコード情報と、各面毎に辺コード及び度合いコードを集めて、これら辺コード及び度合いコードに基づいて得られた各面の面形状を示す面コード情報と、各面の面コードを集めて、これら面コードに基づいて得られた建築用部材の立体形状を示す立体コード情報を含んでいる。
【００１３】
さらに、前記形状情報は、前記立体コード情報に対応づけて使用者が設定した加工コード情報を含んでいる。
【００１４】
さらにまた、外周端部に切り欠き加工を施した帯板状の建築用部材の集計を対象とし、前記切り欠き加工は、建築用部材をその板厚方向に沿って貫通するとともに、その断面形状が板厚方向の全長に亘って同一形状とされている。
【００１５】
この発明のコンピュータ読み取り可能な記録媒体は、上記の集計用プログラムを記録している。
【発明の効果】
【００１６】
この発明では、建築用部材の外形寸法を優先した集計、建築用部材の形状を優先した集計、建築用部材の加工形状を優先した集計、建築用部材の加工箇所を優先した集計といった様々なパターンでの集計が可能であり、保有する加工機の性能の違いなど生産現場の事情に合わせた柔軟な集計を実現することができ、建築用部材の生産性向上に貢献する。
【発明を実施するための最良の形態】
【００１７】
以下、この発明の実施形態を図面に基づいて詳細に説明する。この発明の一実施形態に係る集計装置は、図２に示すような外周端部に切り欠き加工(10)を施した帯板状の建築用木部材(11)の集計を対象としている。木部材(11)における切り欠き加工(10)は、木部材(11)をその板厚方向に沿って貫通するとともに、その断面形状が板厚方向の全長に亘って同一形状とされている。
【００１８】
この集計装置は、図１に示すように、ＣＰＵ（中央処理装置）(１)、ＲＯＭ（リードオンリーメモリ）(２)、ＲＡＭ（ランダムアクセスメモリ）(３)、入力部(４)、記憶部(５)、出力部(６)を備えている。
【００１９】
入力部(４)は、各種コードや各種情報を入力するためのものであり、キーボードやマウス等からなる。
【００２０】
記憶部(５)は、集計用プログラム(15)と、生産予定の木部材における外形寸法情報を含めた各種画像情報(16)と、その画像情報(16)に基づいて得られる生産予定の木部材についての辺コード情報(17)及び度合いコード情報(18)、面コード情報(19)、立体コード情報(20)等の各種の形状情報とが記憶されるハードディスク等からなる。さらに、記憶部(５)には、使用者が設定した加工コード情報(21)が立体コードに対応づけて登録され、さらに立体コードを変換することによって得られた変換済み加工コード情報(22)及び変換済み仮加工コード情報(23)が記憶されるようになっている。
【００２１】
集計用プログラム(15)は、エンジン化されて様々なシステムへの組み込みが可能となっている。この集計用プログラム(15)は、ＣＤ-ＲＯＭ等の記録媒体に記録されていて、これを図示しないＣＤ-ＲＯＭドライブにセットすることで、記憶部(５)にインストールされるようになっている。なお、集計用プログラム(15)は、別のコンピュータの記録媒体に記録されていて、インターネットを介して記憶部(５)にダウンロードさせるようにしても良い。
【００２２】
出力部(６)は、ＣＲＴ或いは液晶表示装置等のディスプレイ(25)やプリンタ(26)からなる。
【００２３】
そして、ＣＰＵ(１)は、記憶部(５)に記憶されている集計用プログラム(15)に従いながら、生産予定の木部材における画像情報(16)に基づいて、その形状を解析してコード化するとともに、各種コードを利用して様々なパターンでの木部材の集計を行うようになっている。
【００２４】
次に、上記の集計装置による木部材の集計動作を、図３及び図４に基づいて説明する。
【００２５】
まず、集計用プログラム(15)を起動して、入力部(４)を操作することで、例えば一棟の住宅の開口部分に使用する木部材の画像情報(16)を住宅の邸名情報とともに入力する(Ｓ１)。これらの画像情報(16)は、記憶部(５)に記憶される。なお、画像情報(16)には、木部材の材長や断面寸法といった外形寸法情報、及び加工部分の幅や深さ各種の寸法情報も含まれている。
【００２６】
このとき、例えばＣＡＤシステム等が組み込まれていて、開口部分の木部材についての画像情報(16)が既に入力されている場合には、その画像情報(16)を利用することも可能である。
【００２７】
次に、入力部(４)を操作して木部材の形状解析を開始する。この形状解析に際しては、ＣＰＵ(１)が、図２に示すように、それぞれの木部材における平面、底面、正面、背面、左右の側面の６面についての２次元画像情報に基づいて、これら各面を構成する４辺に対してその方向を示す辺コードを付与するとともに、４辺に対してそのＸ軸方向及びＹ軸方向の移動量を示す度合いコードを付与する(Ｓ２)。なお、底面については、上方から透視した状態を対象とする。
【００２８】
辺コードの付与に際しては、図５(ａ)に示すように８方向のベクトルに「１〜８」までの数字を割り当てるとともに、図５(ｂ)に示すようにコード化対象の辺に対して基準線(Ｋ)を設けて、その基準線(ｋ)にのる端点を「０」と表現する。これら「０〜８」までの数字を使用して、辺コードを付与している。なお、辺コードを付与することができない辺はない。
【００２９】
例えば、図６(ａ)に示す辺の場合には「１８０１０３１７０１０」、図６(ｂ)に示す辺の場合には「８０１０３１８０１０３１」といった辺コードを付与するようになっている。従って、図２に示す木部材の場合には、平面及び底面における４辺の辺コードは、「１７０１０３１７０１０」、「０１０」、「１３０１０」、「０１０」となり、正面、背面及び左右の側面における４辺の辺コードは、「０１０」、「０１０」、「０１０」、「０１０」となる。
【００３０】
また、辺の形状パターンは同じでも、加工部分の幅、深さ、位置等が異なる場合があるので、これを表現するために、辺のＸ軸方向及びＹ軸方向の移動量を数値化して、度合いコードとして付与している。なお、度合いコードを付与することができない辺はない。
【００３１】
例えば、図７に示す辺の場合には「(２００，０)(０，５０)(１２０，０)(０，−５０)(３００，０)」といった度合いコードを付与するようになっている。従って、図２に示す木部材の場合には、平面及び底面における４辺の度合いコードは、「(３６，０)(０，−５５)(６６，０)(０，３６)(７１，０)(０，−３６)(１６５，０)」、「３３８，０」、「(５５，０)(０，３６)(２５，０)」、「８０，０」となり、正面及び背面における４辺の度合いコードは、「３３８，０」、「３３８，０」、「３０，０」、「３０，０」となり、左右の側面における４辺の辺コードは、「８０，０」、「８０，０」、「３０，０」、「３０，０」となる。
【００３２】
そして、ＣＰＵ(１)は、このような木部材についての辺コード情報(17)及び度合いコード情報(18)を、記憶部(５)に記憶する(Ｓ３)。
【００３３】
次に、ＣＰＵ(１)は、夫々の木部材について、各面毎に辺コード及び度合いコードを集めて、これら辺コード及び度合いコードに基づいて各面の面形状を示す面コードを付与する(Ｓ４)。
【００３４】
具体的に、辺コードを集める場合には、下辺の辺コード、上辺の辺コード、左辺の辺コード、右辺の辺コードを順に並べるようにしている。従って、図２に示す木部材の平面及び底面については、「１７０１０３１７０１０−０１０−１３０１０−０１０」となり、正面、背面及び左右の側面については、「０１０−０１０−０１０−０１０」となる。
【００３５】
度合いコードを集める場合には、下辺の度合いコード、上辺の度合いコード、左辺の度合いコード、右辺の度合いコードを順に並べるようにしている。従って、図２に示す木部材の平面及び底面については、「(３６，０)(０，−５５)(６６，０)(０，３６)(７１，０)(０，−３６)(１６５，０)−(３３８，０)−(５５，０)(０，３６)(２５，０)−(８０，０)」となり、正面及び背面については、「(３３８，０)−(３３８，０)−(３０，０)−(３０，０)」となり、左右の側面については、「(８０，０)−(８０，０)−(３０，０)−(３０，０)」となる。
【００３６】
そして、平面及び底面については、その辺コードを集めてなる「１７０１０３１７０１０−０１０−１３０１０−０１０」と、度合いコードを集めてなる「(３６，０)(０，−５５)(６６，０)(０，３６)(７１，０)(０，−３６)(１６５，０)−(３３８，０)−(５５，０)(０，３６)(２５，０)−(８０，０)」に基づいて、記憶部(５)に予め登録されている面コード「ＡＭ６」を読み出して、これを平面及び底面の面コードとして付与する。
【００３７】
正面及び背面については、その辺コードを集めてなる「０１０−０１０−０１０−０１０」と、度合いコードを集めてなる「(３３８，０)−(３３８，０)−(３０，０)−(３０，０)」に基づいて、記憶部(５)に予め登録されている面コード「ＡＡ」を読み出して、これを正面及び背面の面コードとして付与する。
【００３８】
さらに、左右の側面については、その辺コードを集めてなる「０１０−０１０−０１０−０１０」と、度合いコードを集めてなる「(８０，０)−(８０，０)−(３０，０)−(３０，０)」に基づいて、記憶部(５)に予め登録されている面コード「ＡＡ」を読み出して、これを左右の側面の面コードとして付与する。なお、付与する面コードが登録されていない場合には、面コードを自動採番する。
【００３９】
そして、ＣＰＵ(１)は、このような木部材についての面コード情報(19)を、記憶部(５)に記憶する(Ｓ５)。
【００４０】
続いて、ＣＰＵ(１)は、夫々の木部材について、各面の面コードを集めて、これら面コードに基づいて木部材の立体形状を示す立体コードを付与する(Ｓ６)。
【００４１】
具体的に、木部材における平面の面コード、底面の面コード、正面の面コード、背面の面コード、左右の側面の面コードを順に並べることで、立体コードとしている。従って、図２に示す木部材の立体コードは、「ＡＭ６ＡＭ６ＡＡＡＡＡＡＡＡ」となる。なお、この立体コードは、木部材における切り欠き加工の形状、幅、深さ、外周端部の中間に切り欠き加工がある場合にはその切り欠き加工の一端部からの距離といった要素が加味されており、木部材の材長や幅、厚さ等の外形寸法は加味されていない。従って、立体コードが同じ木部材であっても、材長等が異なる場合がある。
【００４２】
そして、ＣＰＵ(１)は、このような木部材についての立体コード情報(20)を記憶部(５)に記憶する(Ｓ７)。
【００４３】
ここで、立体コードは、コンピュータ処理上のコードであり、使用者が木部材を集計、生産する上で扱うコードとしては、意味合いや桁数から不向きである。従って、立体コードを使用者が設定した分かり易い加工コードに変換することができるようにしている。
【００４４】
すなわち、入力部(４)を操作することで、使用者自らが設定した加工コード情報(21)を立体コード情報(20)に対応づけて事前に記憶部(５)に登録させておき、ＣＰＵ(１)は、木部材に対して立体コードを付与すると、その立体コードに対応する加工コードが記憶部(５)に登録されているか否かを判断する(Ｓ８)。そして、加工コードが登録されている場合には付与した立体コードを対応する加工コードに変換するとともに(Ｓ９)、登録されていない場合には付与した立体コードを仮加工コードに変換する(Ｓ１０)。
【００４５】
加工コードは、例えば最大５桁の英数字での設定が可能であり、使用者が自由に設定することができる。例えば、図８に示すように、１桁目に端部加工状態を表す英字を表示し、２桁目には中間加工数を示す数字を表示し、３桁目以降は連番を表示することで、加工の箇所や個数を簡単に把握できるようにしている。なお、３桁目以降の連番は、木部材の加工部分の幅や深さ等の相違によって異なる数字を表示するようにしている。
【００４６】
このようにして加工コードを設定することで、図２に示す木部材の場合には、立体コード「ＡＭ６ＡＭ６ＡＡＡＡＡＡＡＡ」が加工コード「Ｃ１０１４」に変換される。なお、立体コード「ＡＭ６ＡＭ６ＡＡＡＡＡＡＡＡ」に対応する加工コードが登録されていなければ、例えば仮加工コード「Ｚ００００１」が自動採番される。
【００４７】
そして、ＣＰＵ(１)は、このような木部材についての変換済み加工コード情報(22)或いは変換済み仮加工コード情報(23)を、記憶部(５)に記憶する(Ｓ１１)。
【００４８】
以上のように、夫々の木部材について、その各辺、各面及び全体形状が解析されて、その解析結果として付与された辺コード情報(17)、度合いコード情報(18)、面コード情報(19)、立体コード情報(20)が記憶されるとともに、立体コードが使用者によって自由に設定可能な加工コードに変換されて、その変換済み加工コード情報(22)が記憶されるので、ＣＰＵ(１)は、これら各コード情報を利用して検索することで、生産予定の木部材についての様々なパターンでの集計を可能にしている。
【００４９】
具体的には、少なくとも寸法優先型集計、形状優先型集計、加工形状優先型集計、加工箇所優先型集計の４種類のパターンでの集計が可能となっており、入力部(４)を操作することで、いずれのパターンでの集計を行うかを選択する(Ｓ１２)。
【００５０】
寸法優先型集計においては、木部材の外形寸法情報に基づいて、木部材の外形寸法を優先させながら木部材を選び出して表形式で画面上に表示する(Ｓ１３)。具体的には、同じ断面形状を有する木部材を集めて、その中で材長が短い木部材から順に選び出して、それら木部材の各種情報を並べて図９に示すような集計表を作成する。
【００５１】
形状優先型集計においては、木部材の各種の形状情報に基づいて、木部材の全体形状を優先させながら木部材を選び出して表形式で画面上に表示する(Ｓ１４)。具体的には、同じ断面形状を有する木部材を集めて、その中で切り欠き加工がなされない木部材と、切り欠き加工がなされる木部材とに分けて、切り欠き加工がなされる木部材については、形状が同じすなわち同じ加工コードを有する木部材を集めるようにして、それら木部材の各種情報を並べて図１０に示すような集計表を作成する。
【００５２】
このような形状優先型集計では、同じ幅及び深さの切り欠き加工を一端部から同じ距離に有する木部材がまとめられることになるので、これらの木部材の生産に際しては、例えば図１３に示すように、複数の帯板状の原材をそれらの一端部を揃えるようにして互いに重ね合わせ、同じ位置に同じ形状の切り欠き加工を一括して形成すれば生産効率を高めることができる。
【００５３】
加工形状優先型集計においては、木部材の各種の形状情報に基づいて、木部材の加工形状を優先させながら木部材を選び出して表形式で画面上に表示する(Ｓ１５)。具体的には、切り欠き加工がなされない木部材と、切り欠き加工がなされる木部材とに分けて、切り欠き加工がなされない木部材については、同じ断面形状を有するものを集めて、切り欠き加工がなされる木部材については、加工形状が同じすなわち平面及び底面における面コードが同じになっている木部材を集めるようにして、それら木部材の各種情報を並べて図１１に示すような集計表を作成する。例えば、この集計表においては、詳細コードに「ＡＢ２ＡＢ２…」を含んでいる木部材がまとまって表示されている。
【００５４】
このような加工形状優先型集計では、同じ幅及び深さの切り欠き加工を有する木部材がまとめられることになるので、これらの木部材の生産に際しては、例えば図１４に示すように、複数の帯板状の原材を互いに重ね合わせ、同じ形状の切り欠き加工を一括して形成すれば生産効率を高めることができる。
【００５５】
加工箇所優先型集計においては、木部材の各種の形状情報に基づいて、木部材の加工箇所を優先させながら木部材を選び出して表形式で画面上に表示する(Ｓ１６)。具体的には、切り欠き加工がなされない木部材と、切り欠き加工がなされる木部材とに分けて、切り欠き加工がなされない木部材については、同じ断面形状を有するものを集めて、切り欠き加工がなされる木部材については、加工箇所が同じすなわち平面及び底面における切り欠き加工がなされた辺の辺コードが同じになっている木部材を集めるようにして、それら木部材の各種情報を並べて図１２に示すような集計表を作成する。
【００５６】
例えば、この集計表においては、詳細コードが「…ＡＣ７ＡＣ７」「…ＡＣ８ＡＣ８」「…ＡＣ９ＡＣ９」となっている木部材、さらに詳細コードが「…ＡＣ１０ＡＣ１０」「…ＡＣ１１ＡＣ１１」となっている木部材がまとまって表示されている。
【００５７】
このような加工箇所優先型集計では、加工箇所が同一の外周端部にある木部材がまとめられることになるので、これらの木部材の生産に際しては、図１５に示すように、複数の帯板状の原材を互いに重ね合わせ、同一の外周端部に切り欠き加工を一括して形成すれば生産効率を高めることができる。
【００５８】
なお、図９〜図１２に示す集計表とともに、出力部(６)のディスプレイ(25)の画面上には、図１６に示すような切り欠き加工がなされる木部材の加工パターンが表形式で表示される。
【００５９】
上記の集計は、入力部(４)を操作することで選択的に切り替え可能であり、保有する加工機の機能の違いなど生産現場の事情に合った集計パターンを設定すれば良い。
【００６０】
また、上記のような集計以外にも、例えば溝幅が容易に変えられる加工機を使用するのであれば、溝深さを優先した加工コードを設定し、逆に溝深さが容易に変えられる加工機の場合は、溝幅を優先した加工コードに設定するといったように、使用者が加工コードを自由に設定することで様々なパターンでの集計が可能となっている。
【００６１】
なお、この発明は、上記実施形態に限定されるものではなく、この発明の範囲内で上記実施形態に多くの修正及び変更を加え得ることは勿論である。例えば、この発明は、木部材だけに限らず、木部材以外の建築用部材の集計にも適用することができる。
【図面の簡単な説明】
【００６２】
【図１】この発明の一実施形態に係る集計装置の構成図である。
【図２】同じく形状解析を説明するための図である。
【図３】集計動作を示す制御フローチャートである。
【図４】集計動作を示す制御フローチャートである。
【図５】辺解析を説明するための図である。
【図６】辺コードの付与を説明するための図である。
【図７】度合いコードの付与を説明するための図である。
【図８】加工コードの付与を説明するための図である。
【図９】寸法優先型集計における集計表の一例を示す図である。
【図１０】形状優先型集計における集計表の一例を示す図である。
【図１１】加工形状優先型集計における集計表の一例を示す図である。
【図１２】加工箇所優先型集計における集計表の一例を示す図である。
【図１３】形状優先型集計に基いた加工方法の一例を示す図である。
【図１４】加工形状優先型集計に基いた加工方法の一例を示す図である。
【図１５】加工箇所優先型集計に基いた加工方法の一例を示す図である。
【図１６】切り欠き加工がなされた木部材の加工パターンの一覧表の一例を示す図である。
【符号の説明】
【００６３】
(１)  ＣＰＵ
(４)  入力部
(５)  記憶部
(６)  出力部
(10)  切り欠き加工
(11)  建築用部材(木部材)
(15)  集計用プログラム
(17)  辺コード情報
(18)  度合いコード情報
(19)  面コード情報
(20)  立体コード情報
(21)  加工コード情報
(22)  変換済み加工コード情報
(23)  変換済み仮加工コード情報
【図１】
2005200976.tif 000003
【図２】
2005200976.tif 000004
【図３】
2005200976.tif 000005
【図４】
2005200976.tif 000006
【図５】
2005200976.tif 000007
【図６】
2005200976.tif 000008
【図７】
2005200976.tif 000009
【図８】
2005200976.tif 000010
【図９】
2005200976.tif 000011
【図１０】
2005200976.tif 000012
【図１１】
2005200976.tif 000013
【図１２】
2005200976.tif 000014
【図１３】
2005200976.tif 000015
【図１４】
2005200976.tif 000016
【図１５】
2005200976.tif 000017
【図１６】
2005200976.tif 000018